(57)【要約】【課題】メモリーカードに蓄積されたデータを、簡単な操作で再生可能なデータ送受信システムを実現する。【解決手段】リモコンにメモリーカードスロットを装備し、メモリーカード挿入時を検出し、アプリケーション起動信号を表示装置に送信することにより、メモリーカードに蓄積されたデータを容易に再生することが可能となる。【選択図】  図１
2004356831.tif 000002
【特許請求の範囲】
【請求項１】
メモリーカードが挿入されるスロットと、前記スロットへのメモリーカード挿入を検出する検出手段と、検出手段により検出されたメモリーカードに蓄積されたデータの種類を識別するデータ識別手段を備え、識別されたデータの種類に対応したアプリケーションを起動させる、アプリケーション起動信号を送信するリモートコントローラと、前記アプリケーション起動信号を受信し、対応するアプリケーションを起動する表示装置からなるデータ送受信システム。
【請求項２】
メモリーカードに蓄積されたデータが複数の画像データの場合に、前記複数の画像のサムネイルを表示することを特徴とする請求項１に記載のデータ送受信システム。
【請求項３】
メモリーカードに蓄積されたデータが、複数の画像及び音声データ等、その再生に異なるアプリケーションが必要とされる場合、前記メモリーカードに蓄積されたデータの一覧を対応するアプリケーション毎に分類し表示するブラウザを起動させることを特徴とする請求項１に記載のデータ送受信システム。
【発明の詳細な説明】
【０００１】
【発明の属する技術分野】
本発明は、メモリーカード等に蓄積されたデータの送受信及び再生を行うリモートコントローラ及び表示装置によって構成されるデータ送受信システム（国際特許分類  Ｈ０４Ｎ  ５／００、５／４４、５／７６）に関するものである
【０００２】
【従来の技術】
近年、各種のメモリーカードを蓄積メディアとするデジタルスチルカメラ等の普及により、撮影した画像をメモリーカードをブリッジメディアとして利用し、他の画像表示デバイスを備えた家電製品、例えばＴＶやプラズマディスプレイで画像を容易に再生する機能に対する要望が高まってきている。
【０００３】
以下に従来のデータ送受信システムについて図を用いて説明する。
【０００４】
図３は、従来のデータ送受信システムの外観斜視図を示すものである。図３において、１は表示装置、２は表示部、３はデータの送受信部、４はリモートコントローラ、５はリモートコントローラの送受信部、６はデータ変換装置、７は外部メディア接続口である。
【０００５】
以上のように構成された従来のデータ送受信システムの動作について以下に説明する。データが蓄積された外部メディアをリモートコントローラ４の外部メディア接続口に挿入すると、外部メディアに蓄積されたデータが読み出され、データ変換装置６に送られる。データ変換装置６にてデコードされたデータは、赤外線通信方式にて送受信部５より送信される。前記リモートコントローラ４の送受信部５より送信されたデータは表示装置１の送受信部３によって受信される（例えば特許文献１参照。）。
【０００６】
【特許文献１】
特開２００２−３５４３８７号公報（第６頁、第３図）
【０００７】
【発明が解決しようとする課題】
しかしながら上記の従来例の構成では、メモリーカードに蓄積されたデータを表示装置に送信し、表示装置側で受信されたデータに対応するアプリケーションをロードした後に実行する必要があり、操作が煩雑であるという問題点を有していた。
【０００８】
本発明は上記従来の問題点を解決し、メモリーカードに蓄積されたデータを容易に再生することが可能なデータ送受信装置を提供することを目的とする。
【０００９】
【課題を解決するための手段】
これらの目的を達成するために本発明のデータ送受信システムは、メモリーカードに蓄積されたデータの種類を識別するデータ識別手段を備え、識別されたデータの種類に対応したアプリケーションを起動させる、アプリケーション起動信号を送信するリモートコントローラと、アプリケーション起動信号を受信し、対応するアプリケーションを起動する表示装置によって、メモリーカードを挿入するだけでメモリーカードに蓄積されたデータを自動的に視聴可能とすることを特徴とする。
【００１０】
本発明によれば、メモリーカードを挿入するだけで、メモリーカードに蓄積されたデータを容易に再生することが可能なデータ送受信システムを実現することができる。
【００１１】
【発明の実施の形態】
本発明の請求項１に記載の発明は、メモリーカードが挿入されるスロットと、前記スロットへのメモリーカード挿入を検出する検出手段と、検出手段により検出されたメモリーカードに蓄積されたデータの種類を識別するデータ識別手段を備え、識別されたデータの種類に対応したアプリケーションを起動させる、アプリケーション起動信号を送信するリモートコントローラと、前記アプリケーション起動信号を受信し、対応するアプリケーションを起動する表示装置からなるデータ送受信システムであり、メモリーカードをリモートコントローラに挿入するだけで、メモリーカードに蓄積されたデータを自動的に再生できるという作用を有する。
【００１２】
本発明の請求項２に記載の発明は、メモリーカードに蓄積されたデータが複数の画像データの場合に、前記複数の画像のサムネイルを表示することを特徴とする請求項１に記載のデータ送受信システムであり、メモリーカードをリモートコントローラに挿入するだけで、メモリーカードに蓄積された複数の画像データのサムネイルを自動的に表示し、その中から所望の画像のみを選択し再生できるという作用を有する。
【００１３】
本発明の請求項３に記載の発明は、メモリーカードに蓄積されたデータが、複数の画像及び音声データ等、その再生に異なるアプリケーションが必要とされる場合、前記メモリーカードに蓄積されたデータの一覧を対応するアプリケーション毎に分類し表示するブラウザを起動させることを特徴とする請求項１に記載のデータ送受信システムであり、メモリーカードをリモートコントローラに挿入すると、メモリーカードに蓄積されたデータを必要とされるアプリケーション毎に分類し、ブラウザにアプリケーション毎に分類した結果を一覧として表示するという作用を有する。
【００１４】
以下、本発明の実施の形態について、図１から図５を参照しながら説明する。
【００１５】
（実施の形態１）
図１は本発明の実施の形態１におけるデータ送受信システムのブロック図である。図１において、１はリモートコントローラ、２はメモリーカード、３はメモリーカードスロット、４はメモリーカードインターフェイス、５はデータ処理回路、６はデータ送信回路、７は表示装置、８はデータ受信回路、９はアプリケーション実行回路、１０は表示処理回路、１１は表示部である。
【００１６】
以上のように構成されるデータ送受信システムの動作について、以下、説明する。リモートコントローラ１に設けられたメモリーカードスロット３に、データを蓄積したメモリーカード２を挿入した場合、メモリーカードインターフェイス４にて挿入が検出され、メモリーカード２に蓄積されたデータがデータ処理回路５に読み込まれる。データ処理回路５では、読み込まれたデータの種類を識別し、再生に必要とされるアプリケーションを特定し、その情報をもとにアプリケーション起動信号を生成する。生成されたアプリケーション起動信号は、データ送信回路６にて送信される。送信されたアプリケーション起動信号は、表示装置７に設けられたデータ受信回路８によって受信されアプリケーション実行回路９にて対応するアプリケーションが選択、実行され表示処理回路１０を介して表示部１１に表示される。
【００１７】
また、メモリーカード２に蓄積されたデータが音声データの場合にはアプリケーション実行回路９にて対応するアプリケーションが選択され音声出力回路１２より音声が出力される。
【００１８】
また、メモリーカードに蓄積されたデータが画像及び音声の双方の情報を持ったデータの場合（例えば動画データ）には、アプリケーション実行回路９で動画データ再生用のアプリケーションが選択され、表示部１１及び音声出力回路１２より出力されることは言うまでもない。また、データ送信回路６及びデータ受信回路のデータ伝送方式には、赤外線や公知のマイクロ波による方式を使用することができる。
【００１９】
（実施の形態２）
本発明の実施の形態２と実施の形態１との違いは、図１のメモリーカード２に蓄積された画像データが複数の場合の表示方法であるため、詳細な説明はは省略しデータ表示画面のみ説明する。図２は実施の形態２におけるデータ表示画面である。図２において７は表示装置、１１は表示部、１３はブラウザー、１４はサムネイルである。
【００２０】
図２に示すように、メモリーカード２に蓄積された複数の画像をアプリケーション実行回路９で選択されたブラウザー１３によってデータ名とともにサムネイル１４として表示部１１上に表示される。表示されたサムネイル１４のうち、所望のデータを選択すると拡大表示することができる。複数の音声データの場合には、同様に音声データであることを示す複数のアイコンがデータ名とともに表示され、所望のファイルを選択すると音声が出力される。
【００２１】
（実施の形態３）
本発明の実施の形態３は、実施の形態２のブラウザー表示で、メモリーカード２に蓄積されたデータを分類し、データ毎に対応した各々のアプリケーションを表すアイコンで表示するものであり、詳細な説明は省略する。
【００２２】
【発明の効果】
以上のように本発明は、メモリーカードに蓄積されたデータの種類を識別するデータ識別手段を備え、識別されたデータの種類に対応したアプリケーションを起動させる、アプリケーション起動信号を送信するリモートコントローラと、アプリケーション起動信号を受信し、対応するアプリケーションを起動する表示装置によって、メモリーカードを挿入するだけでメモリーカードに蓄積されたデータを自動的に視聴可能な極めて利便性の高いデータ送受信システムを実現するものである。
【図面の簡単な説明】
【図１】本発明の実施の形態１におけるデータ送受信システムのブロック図
【図２】本発明の実施の形態２におけるデータ表示画面を示す図
【図３】従来のデータ送受信システムの外観斜視図
【符号の説明】
１  リモートコントローラ
２  メモリーカード
３  メモリーカードスロット
４  メモリーカード  インターフェイス
５  データ処理回路
６  データ送信回路
７  表示装置
８  データ受信回路
９  アプリケーション実行回路
１０  表示処理回路
１１  表示部
１２  音声出力回路
１３  ブラウザー
１４  サムネイル
【図１】
2004356831.tif 000003
【図２】
2004356831.tif 000004
【図３】
2004356831.tif 000005